(57)【要約】      （修正有）【課題】オカリナ演奏奏法において、音譜を指の押さえ方と音階に置き換えて演奏を補助するオカリナ演奏奏法補助シールを提供する。【解決手段】シール表面に、オカリナの指の押さえ方と音階を記入して使用できるように印刷されたシールで、音譜の指の押さえ方は蛍光ペン等を使用して印刷されたオカリナの穴を塗りつぶして、円形の欄に音符の音階を記入して、譜面に貼ることで、指の使い方と音階を同時に容易に確認でき、オカリナの演奏奏法を容易に補助しようとするものである。【選択図】図１
0003142690.tif 000002
【実用新案登録請求の範囲】
【請求項１】
本考案は、オカリナ演奏奏法を補助するために、指の押さえ方と音階を記入して使用するように印刷されたシールで、音譜を指の押さえ方と音階に置き換えて譜面に貼り、容易に確認できるオカリナ演奏奏法補助シール。
【考案の詳細な説明】
【技術分野】
【０００１】  本考案は、オカリナ演奏奏法を補助するために、指の押さえ方と音階を記入して使用するように印刷された、音譜を指の押さえ方と音階に置き換えて譜面に貼り、容易に確認できるシールである。
【背景技術】
【０００２】  オカリナの演奏奏法は、独特で譜面に合わせた指の使い方が難しく、指の使い方と音符の音階を同時に確認できるオカリナ演奏奏法補助具は存在してなかった。
【考案の開示】
【考案が解決しようとする課題】
【０００３】  本考案は、オカリナ演奏奏法において、オカリナ演奏奏法を容易にしようとする事にある。
【課題が解決しようとする手段】
【０００４】  本考案は、オカリナの形状と音階を書き込む欄が印刷されたシールであり、容易に譜面に貼ったり、剥がしたりでき、音譜における指の押さえ方は蛍光ペン等を使用して印刷されたオカリナの穴を塗りつぶすことで指の押さえ方を確認でき、また、円形の欄に音符の音階を記入することで、音符の演奏奏法の指の使い方と音階を同時に確認でき、譜面に貼ることで、オカリナの演奏奏法を容易に補助して解決しようとするものである。
【考案の効果】
【０００５】  本考案によって、オカリナ演奏において、難しい音符を容易に確認できることで演奏を円滑に行う効果が得られる。
【考案を実施するための最良の形態】
【０００６】  本考案を実施するためには、譜面の音符を認識出来る場所にシールを貼る必要があり、五線譜と五線譜の間に貼ることも可能な最適な大きさのシール形状とする。【０００７】  シールは、譜面に貼ったり、剥がしたりが可能な弱粘着性接着剤を使用し、書き込みが可能な素材を使用する。
【実施例】
【０００８】  図１にあるように、１枚の剥離紙上に複数のシールを取り付けして、これを複数枚用意して、ポリエチレン素材等の袋に詰めることで、販売可能の形態とする。
【図面の簡単な説明】
【０００９】
【図１】剥離紙上のシールとポリエチレン素材等の袋の全体斜視図
【図２】シール形状の全体図
【符号の説明】
【００１０】１  シール
２  剥離紙
３  ポリエチレン等の袋
４  オカリナ
５  音階記入欄
【図１】
0003142690.tif 000003
【図２】
0003142690.tif 000004
【手続補正書】
【提出日】平成19年11月9日(2007.11.9)
【手続補正１】
【補正対象書類名】実用新案登録請求の範囲
【補正対象項目名】全文
【補正方法】変更
【補正の内容】
【実用新案登録請求の範囲】
【請求項１】
本考案は、オカリナ演奏奏法を補助するために、印刷物等に、指の押さえ方と音階を記入して使用し、音譜を指の押さえ方と音階に置き換えて譜面に掲示して、容易に確認できるオカリナ演奏奏法補助方法。
【手続補正２】
【補正対象書類名】明細書
【補正対象項目名】全文
【補正方法】変更
【補正の内容】
【考案の詳細な説明】
【技術分野】
【０００１】  本考案は、オカリナ演奏奏法を補助するために、印刷物等に、指の押さえ方と音階を記入して使用し、音譜を指の押さえ方と音階に置き換えて譜面に掲示して、容易に確認できるオカリナ演奏奏法補助方法。
【背景技術】
【０００２】  オカリナの演奏奏法は、独特で譜面に合わせた指の使い方が難しく、指の使い方と音符の音階を同時に確認できるオカリナ演奏奏法補助具は存在してなかった。
【考案の開示】
【考案が解決しようとする課題】
【０００３】  本考案は、オカリナ演奏において、オカリナ演奏奏法を容易にしようとする事にある。
【課題が解決しようとする手段】
【０００４】  本考案は、印刷物等にオカリナの形状と音階を書き込む欄があり、容易に譜面に掲示でき、音譜における指の押さえ方は蛍光ペン等を使用して印刷されたオカリナの穴を塗りつぶすことで指の押さえ方を確認でき、また、音符の音階を記入することで、音符の演奏奏法の指の使い方と音階を同時に確認出来るように、譜面に掲示することで、オカリナの演奏奏法を容易に補助して解決しようとするものである。
【考案の効果】
【０００５】  本考案によって、オカリナ演奏において、難しい音符を容易に確認できることで演奏を円滑に行う効果が得られる。
【考案を実施するための最良の形態】
【０００６】  本考案を実施するためには、譜面の音符を認識出来る場所に掲示する必要があり、五線譜と五線譜の間に掲示することも可能な最適な大きさの形状。
【実施例】
【０００７】  図１にあるように、オカリナの形状と音階を書き込む欄がある。
【図面の簡単な説明】
【０００８】
【図１】  全体図
【符号の説明】
【０００９】  １  オカリナの形状
２  音階記入欄
【手続補正３】
【補正対象書類名】図面
【補正対象項目名】全図
【補正方法】変更
【補正の内容】
【図１】
0003142690.tif 000005
【手続補正書】
【提出日】平成20年3月18日(2008.3.18)
【手続補正１】
【補正対象書類名】実用新案登録請求の範囲
【補正対象項目名】全文
【補正方法】変更
【補正の内容】
【実用新案登録請求の範囲】
【請求項１】
オカリナ演奏を補助するために、弾きたい音譜の指の押さえ方と音階を同時に確認出来るように、オカリナの絵及びオカリナの穴を示す白マークと音階書き込み用の欄が印刷されたシールで、弾きたい音譜をペン等を使用して印刷されたオカリナの穴の白マークを色塗りことで指の押さえ方を確認でき、また音階を欄に記入し、譜面の下に貼ることで、演奏を容易に確認できるオカリナ演奏奏法補助シール。
【手続補正２】
【補正対象書類名】明細書
【補正対象項目名】全文
【補正方法】変更
【補正の内容】
【考案の詳細な説明】
【技術分野】
【０００１】  オカリナ演奏を補助するために、オカリナの絵とオカリナの穴を示す白マークと音階を記入出来る欄が印刷されたオカリナ演奏奏法補助シールである。
【背景技術】
【０００２】  オカリナの演奏奏法は、独特で譜面に合わせた指の使い方が難しく、指の使い方と音符の音階を同時に確認できるオカリナ演奏奏法補助具は存在してなかった。
【考案の開示】
【考案が解決しようとする課題】
【０００３】  本考案は、オカリナ演奏において、オカリナ演奏奏法を容易にしようとする事にある。
【課題が解決しようとする手段】
【０００４】  オカリナの絵及びオカリナの穴を示す白マークと音階書き込み用の欄が印刷されたシールで、押さえたい音譜をペン等を使用して印刷されたオカリナの穴の白マークを色塗りことで指の押さえ方を確認でき、また、音階を欄に記入することで音階を確認でき、これで指の使い方と音階を同時に認識でき、譜面の下に貼りオカリナの演奏奏法を容易に補助して解決しようとするものである。
【考案の効果】
【０００５】  本考案によって、オカリナ演奏において、難しい音符の指の押さえ方を容易に確認できることで演奏を円滑に行う効果が得られる。
【考案を実施するための最良の形態】
【０００６】  図１にあるように、オカリナの絵とオカリナの穴を示す白マークと音階を書き込む欄があるシール。【０００７】  シールは、譜面の音符を認識出来る場所に貼る必要があり、五線譜と五線譜の間に貼ることが可能で、見やすい最適な大きさ、左右３センチ、天地２．５センチのサイズとする。【０００８】  シールには、オカリナの絵とオカリナの穴を示す白マークと音符書き込み用の欄があり、シール用紙に印刷し、大きさ左右３センチ、天地２．５センチでカットする。
【実施例】
【０００９】  図２にあるように、１枚の剥離紙上に複数のシールを取り付けして、これを複数枚用意して、ポリエチレン素材等の袋に詰めることで、販売可能の形態とする。
【図面の簡単な説明】
【００１０】
【図１】シールの全体図
【図２】剥離紙上のシールとポリエチレン素材等の袋の全体斜視図
【図３】シール使用状況の全体図
【符号の説明】
【００１１】  １  オカリナの絵
２  オカリナの穴を示す白マーク
３  音階記入欄
４  シール
５  剥離紙
６  ポリエチレン袋
７  弾きたい音符
８  音符に対応した押さえる穴を色塗りした状態
９  弾きたい音階
【手続補正３】
【補正対象書類名】図面
【補正対象項目名】全図
【補正方法】変更
【補正の内容】
【図１】
0003142690.tif 000006
【図２】
0003142690.tif 000007
【図３】
0003142690.tif 000008